(57)【要約】      （修正有）【課題】飲料吐出時の飲料飛散を防止して飲料吐出品質の向上を図り、且つ、飲料吐出口内の清掃性を良くした飲料吐出ノズルを備えた飲料供給装置を提供する。【解決手段】ミキシングボウル３０で原料と湯を用いて調製した飲料を飲料チューブ３１からトレイ式飲料吐出ノズル３２に供給する。トレイ式飲料吐出ノズル３２は一端から他端に向けて下降傾斜した底面を有する傾斜溝３２ａが合成樹脂で一体成型され、この他端側の溝底部には飲料吐出口３２ｂが設けられ、飲料吐出口３２ｂ内には飲料整流板３３ｂが挿入された状態で取り付けられている。そして粉末原料と湯とを用いて調製した飲料が傾斜溝３２ａに供給されると下降傾斜した底面を流下して飲料吐出口３２ｂからカップＣに吐出される。【選択図】図１
2008167849.tif 000002
【特許請求の範囲】
【請求項１】
原料と湯水とを用いて調製された飲料を下降傾斜した底面を有する傾斜溝を流下させて溝底部に設けた飲料吐出口からカップに吐出するトレイ式飲料吐出ノズルを備えた飲料供給装置において、
前記飲料吐出口には、カップに吐出される飲料の流れを整流する飲料整流板を着脱自在に設けたことを特徴とする飲料供給装置。
【請求項２】
前記トレイ式飲料吐出ノズルの上部にはノズルカバーを設け、前記飲料整流板を前記ノズルカバー底面に形成したことを特徴とする請求項１に記載の飲料供給装置。
【発明の詳細な説明】
【技術分野】
【０００１】
本発明は、原料と湯水とを用いて調製した飲料を供給する飲料供給装置に関するものである。
【背景技術】
【０００２】
カップ式自動販売機や給茶機などの飲料供給装置で調製した飲料をカップに供給するには、粉末原料を貯蔵している原料貯蔵容器と加熱した高温の湯を貯留している温水タンクから所定量の粉末原料と湯とをミキシングボウルに供給し、ミキシングボウルで粉末原料と湯とを攪拌混合して飲料を調製して、ベンドステージに載置されているカップにトレイ式飲料吐出ノズルから飲料を吐出するようにしている。
【０００３】
このトレイ式飲料吐出ノズルは、一端から他端に向けて下降傾斜した底面を有する傾斜溝を合成樹脂で一体成型し、この他端側の溝底部には飲料吐出口を設け、粉末原料と湯とを用いて調製した飲料を飲料吐出口からカップに吐出する。この飲料吐出口からカップに飲料を吐出する際に、カップ外に飲料が飛散してカップの縁やベンドステージを汚すことを防ぐために、飲料吐出口内には内部空間を仕切る飲料整流板（リブ）を一体で形成し、吐出した飲料が飲料吐出口の吐出方向に沿ってカップ内に吐出されるようにして飲料吐出品質を向上させている（例えば、特許文献１参照）。
【特許文献１】特開２００２−３２６７００号公報（第５頁、第８図）
【発明の開示】
【発明が解決しようとする課題】
【０００４】
しかしながら、飲料吐出口の口径は小さく（例えば直径９ｍｍ）、この口径の小さい飲料吐出口内の内部空間を仕切るようにして飲料整流板を一体で形成して設けているために、飲料吐出口内の清掃が行い難いという問題があった。また、飲料整流板を設けずに飲料の吐出方向を一定にするには飲料吐出ノズルの口径をさらに細く（例えば直径４ｍｍ）する必要があるが、このように飲料吐出ノズルの口径を細くすると時間当たりの飲料吐出量が少なく、その結果、飲料吐出時間を長く要するようになり、また飲料が飲料吐出ノズルから何時までも垂れる後ダレが発生する問題があった。
【０００５】
本発明は、上記実情に鑑みて、飲料吐出時の飲料飛散を防止して飲料吐出品質の向上を図り、且つ、飲料吐出口内の清掃性を良くした飲料吐出ノズルを備えた飲料供給装置を提供することを目的とする。
【課題を解決するための手段】
【０００６】
上記目的を達成するため、本発明の請求項１に係る飲料供給装置は、原料と湯水とを用いて調製された飲料を下降傾斜した底面を有する傾斜溝を流下させて溝底部に設けた飲料吐出口からカップに吐出するトレイ式飲料吐出ノズルを備えた飲料供給装置において、
前記飲料吐出口には、カップに吐出される飲料の流れを整流する飲料整流板を着脱自在に設けたことを特徴とする。
【０００７】
また、本発明の請求項２に係る飲料供給装置は、上述した請求項１において、前記トレイ式飲料吐出ノズルの上部にはノズルカバーを設け、前記飲料整流板を前記ノズルカバー底面に形成したことを特徴とする。
【発明の効果】
【０００８】
請求項１の発明によれば、原料と湯水とを用いて調製された飲料を下降傾斜した底面を有する傾斜溝を流下させて溝底部に設けた飲料吐出口からカップに吐出するトレイ式飲料吐出ノズルを備えた飲料供給装置において、飲料吐出口にはカップに吐出される飲料の流れを整流する飲料整流板を着脱自在に設けたことにより、飲料吐出時の飲料飛散を防止して飲料吐出品質の向上を図り、且つ、飲料吐出口内の清掃性を良くした飲料吐出ノズルを備えた飲料供給装置を提供することが可能となる。
【０００９】
また、請求項２の発明によれば、トレイ式飲料吐出ノズルの上部にはノズルカバーを設け、飲料整流板をノズルカバー底面に形成したことにより、飲料吐出口に飲料整流板を着脱することが容易に行えるようになる。
【発明を実施するための最良の形態】
【００１０】
以下に添付図面を参照して、本発明に係る飲料供給装置の好適な実施の形態としてカップ式自動販売機について詳細に説明する。なお、この実施の形態によりこの発明が限定されるものではない。
図１および図２に本発明の実施の形態に係る実施例としての、カップ供給装置から供給されたカップに原料と湯水とを用いて調製された飲料を下降傾斜した底面を有する傾斜溝を流下させて溝底部に設けた飲料吐出口から吐出するトレイ式飲料吐出ノズルを備えたカップ式自動販売機の概念図を示している。
【００１１】
カップ式自動販売機１は、前面扉２が自販機本体（図示せず）にヒンジで取り付けられ、この前面扉２には利用客がカップ飲料を取り出すための販売扉３が開閉自在に設けられている。この前面扉２の自販機本体側に取り付けられたカップ供給装置１０のカップ収容部１１の下部にはカップ払い出しコマ（図示せず）の正逆回転によりカップＣを払い出すカップ払い出し部１２、払い出されたカップＣの落下方向を案内するカップシュート１３が設けられ、カップ払い出し部１２がカップ払い出し動作を行うとカップ収容部１１に収容されているカップＣがカップシュート１３に案内されて落下する。
【００１２】
カップ供給装置１０から供給されたカップＣは、カップシュート１３直下に待機しているカップ把持装置２０の一対のカップ把持アーム２１に把持されてベンドステージ１４に載置される。カップ把持装置２０はカップ把持装置取付部２２に固定され、カップ把持装置取付部２２は移動駆動装置２３で図中左右方向に移動自在に取り付けられている。移動駆動装置２３は、例えばＤＣモータの駆動軸に取り付けたネジを正逆回転させてネジ溝に噛み合わせているナットと連結したカップ把持装置取付部２２をネジの長手方向に移動させる。そして、カップ式自動販売機１のカップ飲料販売待機時は図１に示すように、カップＣを供給するカップ供給装置１０のカップシュート１３直下に一対のカップ把持アーム２１を位置させてカップ把持装置２０を停止し、カップ払い出し部１２が駆動されてカップ供給装置１０からカップＣが供給されると一対のカップアーム２１で把持してベンドステージ１４に載置する。このように、カップ供給装置１０のカップ払い出し部１２がカップ払い出し動作をすると、供給されたカップＣはカップシュート１３に案内されて落下してカップ把持装置２０の一対のカップアーム２１で把持される。
【００１３】
この後、カップ把持装置取付部２２に固定されているカップ把持装置２０が図中右側に移動するように移動駆動装置２３を駆動し、図２で示すように把持しているカップＣの開口がトレイ式飲料吐出ノズル３２の飲料吐出口３２ｂ直下に位置すると停止センサ（図示せず）の出力する信号により移動駆動装置２３の駆動を停止してカップ把持装置２０を停止させる。この状態でミキシングボウル３０で原料と湯を用いて調製した飲料を飲料チューブ３１からトレイ式飲料吐出ノズル３２に供給する。トレイ式飲料吐出ノズル３２は一端から他端に向けて下降傾斜した底面を有する傾斜溝３２ａが合成樹脂で一体成型され、この他端側の溝底部には飲料吐出口３２ｂが設けられ、粉末原料と湯とを用いて調製した飲料が傾斜溝３２ａに供給されると下降傾斜した底面を流下して飲料吐出口３２ｂからカップＣに吐出するようにしている。トレイ式飲料吐出ノズル３２の上部にはノズルカバー３３が取り付けられ、粉末原料等が傾斜溝３２ａに混入することを防止している。飲料吐出口３２ｂからカップＣへ所定量の飲料が吐出されると、カップ把持装置２０が図中左方向に移動するように再度移動駆動装置２３を駆動し、図１に示す位置（飲料販売待機位置）に到達すると停止センサ（図示せず）の出力する信号により移動駆動装置２３を停止してカップ把持装置２０の移動が停止される。
【００１４】
図３は、トレイ式飲料吐出ノズル３２の上部に取り付けたノズルカバー３３を斜め下方から見た図を示し、飲料吐出口３２ｂ内に飲料整流板３３ｂが挿入された状態で取り付けられている。
図４は、ノズルカバー３３をトレイ式飲料吐出ノズル３２から取り外した図を示し、図４（ａ）はノズルカバー３３のトレイ式飲料吐出ノズル３２への取り付け面であるノズルカバー底面３３ａを可視可能状態にした図、図４（ｂ）はトレイ式飲料吐出ノズル３２の傾斜溝３２ａおよび飲料吐出口３２ｂ内を可視可能状態にした図である。ノズルカバー底面３３ａには飲料整流板３３ｂが一体に形成され、ノズルカバー３３をトレイ式飲料吐出ノズル３２に取り付けると飲料整流板３３ｂが飲料吐出口３２ｂ内に挿入されて配置される（図３参照）。
【００１５】
上述したように構成したカップ式自動販売機１では、飲料販売待機時には、図１に示す飲料販売待機位置であるカップ供給装置１０のカップシュート１３直下位置にカップ把持装置２０の一対のカップ把持アーム２１を位置させて停止している。
そして、利用客により販売ボタン（図示せず）が押されて飲料の販売指令が出力されると、カップ払い出し部１２がカップ払い出し動作を行い、カップ収容部１１に収容されているカップＣをカップシュート１３に案内させて落下する。カップ供給装置１０から供給されたカップＣは、カップシュート１３直下に待機しているカップ把持装置２０の一対のカップ把持アーム２１に把持されてベンドステージ１４に載置される。
【００１６】
カップＣがベンドステージ１４に載置されると、移動駆動装置２３を駆動して飲料吐出位置である図２で示す飲料ノズル３２の飲料吐出口３２ｂ直下位置に一対のカップ把持アーム２１で把持しているカップＣの開口を移動させてカップ把持装置２０を停止する。カップＣの開口が飲料吐出口３２ｂの直下位置に移動して停止すると、原料貯蔵容器（図示せず）から原料シュータ３４を介して供給された原料と温水タンク（図示せず）から供給された湯とをミキシングボウル３０で攪拌混合して調製した飲料を飲料チューブ３１から飲料ノズル３２の傾斜溝３２ａに供給する。ミキシングボウル３０から供給された飲料は傾斜溝３２ａを流下して飲料吐出口３２ｂからカップＣに吐出されるが、飲料吐出口３２ｂ内には飲料整流板３３ｂが挿入されて取り付けられているので、カップＣに吐出される飲料の流れが飲料整流板３３ｂで整流されてカップＣ内に流下して、飲料吐出時の飲料飛散が防止されて飲料吐出品質向上を図ることができる。
【００１７】
このようにして、ミキシングボウル３０で調製された所定量の飲料が飲料ノズル３２の傾斜溝３２ａを流下して飲料吐出口３２ｂから整流された飲料の流れとしてカップＣに吐出されてカップ飲料が出来上がると、再度移動駆動装置２３を駆動して図１に示す飲料販売待機位置であるカップ供給装置１０のカップシュート１３直下位置にカップＣを把持しているカップ把持装置２０の一対のカップ把持アーム２１を移動させて停止する。そして飲料調製完了ランプ（図示せず）を点灯して利用客にカップ飲料が出来上がったことを知らせる。利用客は販売扉３を開いて飲料入りカップＣを取り出してカップ式自動販売機１によるカップ飲料の販売が終了する。
【００１８】
このようにしてカップ飲料の販売を行うカップ式自動販売機１は定期的に清掃が行われるが、トレイ式飲料吐出ノズル３２を清掃するときはその上部に取り付けたノズルカバー３３を取り外すことにより、飲料吐出口３２ｂからの飲料整流板３３ｂの着脱が容易に行えるようになり、飲料吐出口３２ｂ内の清掃性が良くなる。また、ノズルカバー３３も取り外した状態でノズルカバー底面３３ａや飲料整流板３３ｂを清掃することができるので清掃が行いやすくなる。
【図面の簡単な説明】
【００１９】
【図１】本発明の実施の形態に係るカップ式自動販売機の飲料販売待機、カップ供給時およびカップ飲料受け渡し時を示す概念図である。
【図２】本発明の実施の形態に係るカップ式自動販売機のトレイ式飲料吐出ノズルから飲料吐出時を示す概念図である。
【図３】図１に示したトレイ式飲料吐出ノズルにノズルカバーを取り付けた図である。
【図４】図１に示したトレイ式飲料吐出ノズルからノズルカバーを取り外した図である。
【符号の説明】
【００２０】
１    カップ式自動販売機（飲料供給装置）
１０    カップ供給装置
１１    カップ収容部
１２    カップ払い出し部
１３    カップシュート
１４    ベンドステージ
２０    カップ把持装置
２１    一対のカップ把持アーム
２２    カップ把持装置取付部
２３    移動駆動装置
３０    ミキシングボウル
３１    飲料チューブ
３２    トレイ式飲料吐出ノズル
３２ａ    傾斜溝
３２ｂ    飲料吐出口
３３    ノズルカバー
３３ａ    ノズルカバー底面
３３ｂ    飲料整流板
Ｃ    カップ
【図１】
2008167849.tif 000003
【図２】
2008167849.tif 000004
【図３】
2008167849.tif 000005
【図４】
2008167849.tif 000006